(57)【特許請求の範囲】
【請求項１】
少なくとも一つの端子抵抗と、
一の送信回路と、
一の受信回路と
を含み、
前記送信回路は、
一の第一外部抵抗と、
前記第一外部抵抗に接続された一の第一基準端子と、前記端子抵抗に接続された少なくとも一つの出力端子とを備え、前記第一外部抵抗にしたがって一の第一基準電流を生成し、一の伝送データと該第一基準電流とにしたがって前記出力端子に流す一の電流を決定する一の送信器と
を含み、
前記受信回路は、
一の第二外部抵抗と、
一の第三外部抵抗と、
前記第二外部抵抗に接続された一の第二基準端子と、前記第三外部抵抗に接続された一の第三基準端子と、前記送信器の前記出力端子に接続された一の受信端子とを備え、前記第二外部抵抗にしたがって一の第二基準電流を生成し、該第二基準電流と前記第三外部抵抗とにしたがって一の基準電圧差を生成し、前記伝送データを正確に受信することを目的として、該基準電圧差にしたがって前記受信端子における一の電圧を判定する少なくとも一つの受信器と
を含む、
マルチレベルポイントツーポイント伝送システム。
【請求項２】
前記送信器は、
前記第一基準端子に接続され、前記第一外部抵抗にしたがって前記第一基準電流を生成する一の送信端電流生成器と、
前記送信端電流生成器と前記出力端子とに接続され、該出力端子に流す前記電流と前記第一基準電流との一の比を前記伝送データのビットコードにしたがって決定し、前記端子抵抗と協同して前記出力端子において複数の異なる電圧レベルを生成する複数のパルス強度変調器と
を含む、
請求項１に記載のマルチレベルポイントツーポイント伝送システム。
【請求項３】
前記送信端電流生成器は、
一の入力電圧と一の第一所定比にしたがって一の第一基準電圧を生成する一の第一分圧回路と、
前記第一分圧回路に接続される一の第一入力端子と、前記第一基準端子に接続される一の第二入力端子と、一の出力端子とを備える一の演算増幅器と、
前記演算増幅器の前記出力端子と前記第一基準端子とに接続され、前記第一基準電流をコピーして出力する一のカレントミラーと
を含み、
前記第一基準電流は、前記第一基準電圧と前記第一外部抵抗とにしたがって生成される、
請求項２に記載のマルチレベルポイントツーポイント伝送システム。
【請求項４】
前記受信器は、
前記第二基準端子と前記第三基準端子とに接続され、前記第二外部抵抗にしたがって前記第二基準電流を生成し、該第二基準電流と前記第三外部抵抗とにしたがって前記基準電圧差を生成する一の受信端電流追跡回路と、
前記基準電圧差と一の第二所定比とにしたがって複数のサブ基準電圧差を生成する一の第二分圧回路と
前記第二分圧回路と前記受信端子とに接続され、前記受信端子における前記電圧と前記複数のサブ基準電圧差の一部とを比較して複数のサーマルコードを得る複数の強度コンパレータと、
前記複数の強度コンパレータに接続され、前記複数のサーマルコードを前記伝送データへと復号する複数のサーマルコード復号器と
を含む、
請求項１に記載のマルチレベルポイントツーポイント伝送システム。
【請求項５】
前記受信端電流追跡回路は、
一の入力電圧と一の第三所定比とにしたがって一の第二基準電圧を生成する一の第三分圧回路と、
前記第三分圧回路に接続される一の第一入力端子と、前記第二基準端子に接続される一の第二入力端子と、一の出力端子とを備える一の演算増幅器と、
一のイネーブル信号受信端子と、前記第二基準端子に接続された一の電流入力端子と、前記第三基準端子に接続された一の電流出力端子とを備え、該イネーブル信号受信端子は、一の入力イネーブル信号を受信して前記第二基準電流を前記電流出力端子に出力するかを制御する、一のスイッチ回路と
を含み、
前記第二基準電流は、前記第二基準電圧と前記第二外部抵抗にしたがって生成される、
請求項４に記載のマルチレベルポイントツーポイント伝送システム。
【請求項６】
前記受信器は、
前記第二分圧回路に接続された一の出力端子と、前記第三基準端子に接続された一の入力端子を備える一の電圧変換器であって、前記第三基準端子における一の電圧を該電圧変換器の前記出力端子へと変換する電圧変換器をさらに含む、
請求項４に記載のマルチレベルポイントツーポイント伝送システム。
【請求項７】
前記電圧変換器は、
該電圧変換器の前記入力端子として機能する一の第一入力端子と、該電圧変換器の前記出力端子として機能する一の第二入力端子とを備える一の演算増幅器と、
前記演算増幅器の出力端子に接続された一のゲートと、前記電圧変換器の前記出力端子に接続された一のドレインと、接地された一のソースとを備える一の電界効果トランジスタ（ＦＥＴ）と
を含み、
前記電圧変換器の前記入力端子における前記電圧は、該電圧変換器の前記出力端子へとコピーされる、
請求項６に記載のマルチレベルポイントツーポイント伝送システム。
【請求項８】
前記スイッチ回路は、
前記イネーブル信号受信端子に接続された一の入力端子を備え、前記イネーブル信号を反転する一のインバータと、
一の第一ＦＥＴと一の第二ＦＥＴと
を備え、
前記第二ＦＥＴの一のドレインと前記第一ＦＥＴの一のゲートは互いに接続され、前記第二ＦＥＴの一のゲートと前記インバータの一の出力端子は互いに接続され、前記第二ＦＥＴの一のソースは接地され、前記第一ＦＥＴの前記ゲートと前記演算増幅器の前記出力端子は互いに接続され、前記第一ＦＥＴの一のドレインは前記スイッチ回路の前記電流出力端子として機能し、前記第一ＦＥＴの一のソースは前記スイッチ回路の前記電流入力端子として機能する、
請求項５に記載のマルチレベルポイントツーポイント伝送システム。
【請求項９】
前記複数のパルス強度変調器は、一の単一入力回路インフラ又は一の共通モードフィードバック回路インフラを有する、
請求項２に記載のマルチレベルポイントツーポイント伝送システム。
【請求項１０】
一の大型表示パネルに用いられる、請求項１に記載のマルチレベルポイントツーポイント伝送システム。
【請求項１１】
一のマルチレベルポイントツーポイント伝送システムに適し、少なくとも一つの端子抵抗に接続された送信回路であって、
一の第一外部抵抗と、
前記第一外部抵抗に接続された一の第一基準端子と前記端子抵抗に接続された少なくとも一つの出力端子を備えた一の送信器とを含み、
該送信器は、
前記第一基準端子に接続され、前記第一外部抵抗にしたがって一の第一基準電流を生成する一の送信端電流生成器と、
前記送信端電流生成器と前記出力端子に接続され、一の伝送データのビットコードにしたがって前記出力端子に流す一の電流と前記第一基準電流との一の比を決定し、前記端子抵抗と協同して前記出力端子において複数の異なる電圧レベルを生成する複数のパルス強度変調器と
を含む、送信回路。
【請求項１２】
前記送信端電流生成器は、
一の入力電圧と一の第一所定比にしたがって一の第一基準電圧を生成する一の第一分圧回路と、
前記第一分圧回路に接続された一の第一入力端子と、前記第一基準端子に接続された一の第二入力端子と、一の出力端子とを備える一の演算増幅器と、
前記演算増幅器の前記出力端子と前記第一基準端子とに接続され、前記第一基準電流をコピーして出力する一のカレントミラーと
を含み、
前記第一基準電流は、前記第一基準電圧と前記第一外部抵抗とにしたがって生成される、
請求項１１に記載の送信回路。
【請求項１３】
前記複数のパルス強度変調器は、一の単一入力回路インフラ又は一の共通モードフィードバック回路インフラを有する、
請求項１１に記載の送信回路。
【請求項１４】
一の大型表示パネルに用いられる、請求項１１に記載の送信回路。
【請求項１５】
一のマルチレベルポイントツーポイント伝送システムに適用可能な受信回路であって、
一の第二外部抵抗と、
一の第三外部抵抗と、
前記第二外部抵抗に接続された一の第二基準端子と、前記第三外部抵抗に接続された一の第三基準端子と、一の受信端子とを備える少なくとも一つの受信器とを含み、
前記受信器は、
前記第二基準端子と前記第三基準端子とに接続され、前記第二外部抵抗にしたがって一の第二基準電流を生成し、該第二基準電流と前記第三外部抵抗とにしたがって一の基準電圧差を生成する一の受信端電流追跡回路と、
前記基準電圧差と一の第二所定比とにしたがって複数のサブ基準電圧差を生成する一の第二分圧回路と、
前記第二分圧回路と前記受信端子とに接続され、前記受信端子における一の電圧と前記複数のサブ基準電圧差の一部とを比較して複数のサーマルコードを得る複数の強度コンパレータと、
前記複数の強度コンパレータに接続され、前記複数のサーマルコードを伝送データへと復号する複数のサーマルコード復号器と
含む、受信回路。
【請求項１６】
前記受信端電流追跡回路は、
一の入力電圧と一の第三所定比とにしたがって一の第二基準電圧を生成する一の第三分圧回路と、
前記第三分圧回路に接続された一の第一入力端子と、前記第二基準端子に接続された一の第二入力端子と、一の出力端子とを備える一の演算増幅器と、
一のイネーブル信号受信端子と、前記第二基準端子に接続された一の電流入力端子と、前記第三基準端子に接続された一の電流出力端子とを備え、該イネーブル信号受信端子は一の入力イネーブル信号を受信して前記第二基準電流を該電流出力端子に出力するかを制御する一のスイッチ回路と
を含み、
前記第二基準電流は前記第二基準電圧と前記第二外部抵抗とにしたがって生成される、
請求項１５に記載の受信回路。
【請求項１７】
前記受信器は、
前記第二分圧回路に接続された一の出力端子と、前記第三基準端子に接続された一の入力端子とを備えた一の電圧変換器であって、前記第三基準端子における一の電圧を該電圧変換器の該出力端子へと変換する電圧変換器を含む、
請求項１５に記載の受信回路。
【請求項１８】
前記電圧変換器は、
前記電圧変換器の前記入力端子として機能する一の第一入力端子と、前記電圧変換器の前記出力端子として機能する一の第二入力端子とを備える一の演算増幅器と、
前記演算増幅器の出力端子に接続された一のゲートと、前記電圧変換器の前記出力端子に接続された一のドレインと、接地された一のソースとを備える一のＦＥＴと
を含み、
前記電圧変換器の前記入力端子における前記電圧は、該電圧変換器の前記出力端子へとコピーされる、
請求項１７に記載の受信回路。
【請求項１９】
前記スイッチ回路は、
前記イネーブル信号受信端子に接続された一の入力端子を備え、前記イネーブル信号を反転する一のインバータと、
一の第一ＦＥＴと一の第二ＦＥＴと
を含み、
前記第二ＦＥＴの一のドレインと前記第一ＦＥＴの一のゲートは互いに接続され、前記第二ＦＥＴの一のゲートと前記インバータの出力端子は互いに接続され、前記第二ＦＥＴの一のソースは接地され、前記第一ＦＥＴの前記ゲートと前記演算増幅器の前記出力端子は互いに接続され、前記第一ＦＥＴの一のドレインは前記スイッチ回路の前記電流出力端子として機能し、前記第一ＦＥＴの一のソースは前記スイッチ回路の前記電流入力端子として機能する、
請求項１６に記載の受信回路。
【請求項２０】
一の大型表示パネルに用いられる、請求項１５に記載の受信回路。
【請求項２１】
一の伝送データにしたがって少なくとも一つの電流信号を出力する一の送信回路と、
前記送信回路に接続された一の受信回路と
を含み、
該受信回路は、
前記送信回路から前記電流信号を受信し、該電流信号を一の受信電圧信号へと変換する複数の受信部と、
前記複数の受信部に接続され、一の基準電圧差を生成し、該基準電圧差を前記複数の受信部へと伝送する少なくとも一つの基準部と
を含み、
前記複数の受信部は、前記基準電圧差にしたがって複数のサブ基準電圧差を生成し、前記受信電圧信号と該複数のサブ基準電圧差を比較して一のデジタルデータを得る、
ポイントツーポイント信号伝送システム。
【請求項２２】
前記送信回路は、
一の第一外部抵抗と、
前記第一外部抵抗に接続された一の第一基準端子と、
前記第一基準端子に接続され、前記第一外部抵抗にしたがって一の第一基準電流を生成する一の送信端電流生成器と、
前記送信端電流生成器に接続され、前記電流信号と前記第一基準電流との一の比を前記伝送データのビットコードにしたがって決定する一のパルス強度変調器とを含む、
請求項２１に記載のポイントツーポイント信号伝送システム。
【請求項２３】
前記送信端電流生成器は、
一の入力電圧と一の第一所定比にしたがって一の第一基準電圧を生成する一の第一分圧回路と、
前記第一分圧回路に接続された一の第一入力端子と、前記第一基準端子に接続された一の第二入力端子と、一の出力端子とを備えた一の演算増幅器と、
前記演算増幅器の前記出力端子と前記第一基準端子とに接続され、前記第一基準電流をコピーして出力する一のカレントミラーと
を含み、
前記第一基準電流は、前記第一基準電圧と前記第一外部抵抗とにしたがって生成される、
請求項２２に記載のポイントツーポイント信号伝送システム。
【請求項２４】
前記複数の受信部のそれぞれは、
複数の抵抗を備え、前記電流信号を前記受信電圧信号へと変換する一の電流−電圧変換器と、
前記基準電圧差と一の第二所定比にしたがって複数のサブ基準電圧差を生成する一の第二分圧回路と、
前記電流−電圧変換器と前記第二分圧回路に接続され、前記電圧信号と前記複数のサブ基準電圧差を比較して複数のサーマルコードを得る一の強度コンパレータと、
前記強度コンパレータに接続され、前記複数のサーマルコードを復号して前記デジタルデータを得る一のサーマルコード復号器と
を含む、
請求項２１に記載のポイントツーポイント信号伝送システム。
【請求項２５】
前記基準部は、
一の第二外部抵抗と、
一の第三外部抵抗と、
前記第二外部抵抗に接続された一の第二基準端子と、
前記第三外部抵抗に接続された一の第三基準端子と、
前記第二基準端子と前記第三基準端子とに接続され、前記第二外部抵抗にしたがって一の第二基準電流を生成し、該第二基準電流と前記第三外部抵抗とにしたがって前記基準電圧差を生成する一の受信端電流追跡回路と
を含む、
請求項２１に記載のポイントツーポイント信号伝送システム。
【請求項２６】
前記受信端電流追跡回路は、
一の入力電圧と一の第三所定比にしたがって一の第二基準電圧を生成する一の第三分圧回路と、
前記第三分圧回路に接続された一の第一入力端子と、前記第二基準端子に接続された一の第二入力端子と、一の出力端子とを備えた一の演算増幅器と、
一のイネーブル信号受信端子と、前記第二基準端子に接続された一の電流入力端子と、前記第三基準端子に接続された一の電流出力端子とを備え、該イネーブル信号受信端子は一の入力イネーブル信号を受信して前記第二基準電流を該電流出力端子に出力するかを制御する一のスイッチ回路と
を含み、
前記第二基準電流は前記第二基準電圧と前記第二外部抵抗にしたがって生成される、
請求項２５に記載のポイントツーポイント信号伝送システム。
【請求項２７】
前記基準部は、
一の出力端子と、前記第三基準端子に接続された一の入力端子とを備えた一の電圧変換器であって、前記第三基準端子における一の電圧を該電圧変換器の該出力端子へと変換する電圧変換器を含む、
請求項２５に記載のポイントツーポイント信号伝送システム。
【請求項２８】
前記複数の受信部のそれぞれは、
前記第二分圧回路に接続された一の出力端子と、一の第三基準端子に接続された一の入力端子を備える一の電圧変換器であって、前記第三基準端子における一の電圧を該電圧変換器の該出力端子に変換する電圧変換器を含む、
請求項２４に記載のポイントツーポイント信号伝送システム。
【請求項２９】
前記電圧変換器は、
該電圧変換器の前記入力端子として機能する一の第一入力端子と、該電圧変換器の前記出力端子として機能する一の第二入力端子とを備える一の演算増幅器と、
前記演算増幅器の出力端子に接続された一のゲートと、該電圧変換器の前記出力端子に接続された一のドレインと、接地された一のソースとを備える一のＦＥＴと
を含み、
前記電圧変換器の前記入力端子における前記電圧は、該電圧変換器の前記出力端子へとコピーされる、
請求項２８に記載のポイントツーポイント信号伝送システム。
【請求項３０】
前記スイッチ回路は、
前記イネーブル信号受信端子に接続された一の入力端子を備え、前記イネーブル信号を反転する一のインバータと、
一の第一ＦＥＴと一の第二ＦＥＴと
を含み、
前記第二ＦＥＴの一のドレインと前記第一ＦＥＴの一のゲートは互いに接続され、前記第二ＦＥＴの一のゲートと前記インバータの出力端子は互いに接続され、前記第二ＦＥＴの一のソースは接地され、前記第一ＦＥＴの前記ゲートと前記演算増幅器の前記出力端子は互いに接続され、前記第一ＦＥＴの一のドレインは前記スイッチ回路の前記電流出力端子として機能し、前記第一ＦＥＴの一のソースは前記スイッチ回路の前記電流入力端子として機能する、
請求項２６に記載のポイントツーポイント信号伝送システム。
【請求項３１】
前記パルス強度変調器は、一の単一入力回路インフラ又は一の共通モードフィードバック回路インフラを有する、
請求項２２に記載のポイントツーポイント信号伝送システム。
【請求項３２】
一の大型表示パネルに用いられる、請求項２１に記載のポイントツーポイント信号伝送システム。
【発明の詳細な説明】
【技術分野】
【０００１】
本発明は、全般的に、マルチレベルポイントツーポイント伝送システム及びその送信回路と受信回路に関し、特に、大型表示パネルに用いられるマルチレベルポイントツーポイント伝送システム及びその送信回路と受信回路に関する。
【背景技術】
【０００２】
近年、表示パネルの製造技術は徐々に成熟段階へと達しつつある。しかし、表示パネルのサイズと解像度は消費者の要望に応えて継続的に拡大している。しかし、表示パネルの解像度とサイズの増大にともなって表示パネル内の動作周波数が大きくなることが予測される。表示パネルにおける従来の伝送システムには複数対の伝送線を設けなければならず、全ての伝送線に高周波数環境において類似の電気的特性を持たせることはほぼ不可能である。それゆえ、前述の問題を修正するための有効な修正メカニズムを受信端子に設けることができず、したがって伝送システムのビット誤り率を低減させることができない。特に、伝送システムにおける前述の問題を解決するめには追加的なコストが生じるのであり、製品の競争力を高めることができない。
【０００３】
図１Ａは、液晶表示（ＬＣＤ）パネルにおける従来の伝送システムの図である。伝送システムには、タイミング制御器ＴＣＯＮと、複数のドライブＩＣ  ＳＤ１、ＳＤ２、・・・ＳＤＮが含まれる。タイミング制御器ＴＣＯＮは、ビデオデータをＬＣＤパネル内のドライブＩＣ  ＳＤ１乃至ＳＤＮに一対のクロック伝送線と複数対の伝送線を介して伝送する。伝送線の各対は全てのドライブＩＣ  ＳＤ１乃至ＳＤＮの入力端子に接続されている。図１Ｂは、図１Ａの伝送システムの詳細回路図である。タイミング制御器ＴＣＯＮは送信回路として機能し、ドライブＩＣ  ＳＤ１乃至ＳＤＮは受信回路として機能する。タイミング制御器ＴＣＯＮとドライブＩＣ  ＳＤ１乃至ＳＤＮにより伝送システムが形成される。シングル‐差動変換器ＴＸ１、ＴＸ２、ＴＸ３、・・・、ＴＸＮ、及びＴＸＣＫが入力データＤＩ＿１、ＤＩ＿２、ＤＩ＿３、・・・、ＤＩ＿Ｎ、及び入力クロック信号ＣＫＩをドライブＩＣ  ＳＤ１乃至ＳＤＮの受信端子におけるコンパレータＲＸ１、ＲＸ２、ＲＸ３、・・・、ＲＸＮ、及びＲＸＣＫへと出力する。ドライブＩＣ  ＳＤ１乃至ＳＤＮの受信端子におけるコンパレータＲＸ１、ＲＸ２、ＲＸ３、・・・ＲＸＮ、及びＲＸＣＫは、該当する符号の信号を比較して対応するデジタル値１もしくは０を取得する。しかし、この伝送システムは、回路レイアウトが非常に複雑であり、伝送量が重く、ノイズによる影響が大きいので、高周波数で動作する大型のＬＣＤパネルには適していない。
【０００４】
一般的に、表示パネルにおける従来の伝送システムには、複数対の伝送線が含まれており、受信端子が受信するデータは簡易なコンパレータを用いることにより容易に復号することができる。
【０００５】
表示パネルサイズの増大にともない、マルチレベルポイントツーポイント伝送メカニズムを表示パネルの伝送システムに用いなければ伝送周波数、ひいては伝送線効果を低減することができない。しかし、マルチレベルポイントツーポイント伝送システムの受信端子については、受信データを復号するためには簡易なコンパレータでなく精密レベルのコンパレータが複数必要である。さらに、媒体あるいは大型の表示パネルにおいては全てのドライブＩＣが同一の制御ＩＣに制御されるので、各ドライブＩＣの受信端子における基準電圧レベルが当該ドライブＩＣの送信端子における基準電圧レベルと一致していなければ復号化エラーを防ぐことができない。
【０００６】
上述したように、マルチレベルポイントツーポイント伝送システムを大型表示パネルに用いることにより大型表示パネル設計の複雑性を大幅に低減することができる。しかし、伝送データを正確に復号するためにはマルチレベルポイントツーポイント伝送システムにおける受信端子は送信端子と同じ基準電圧レベルを生成しなければならず、これは処理間の相違により達成することが非常に困難である。それゆえ、通常、内蔵式の微調整メカニズムを用いて処理間の相違を相殺する。さらに、表示パネルにおいて各ドライブＩＣに同一の微調整メカニズムを設ける方法も今日の表示装置の生産者が解決しなければならない。
【発明の開示】
【課題を解決するための手段】
【０００７】
本発明は、送信回路が出力電流又は信号レベルを生成する方法に従って受信回路がその各受信器において基準電圧を生成し、当該基準電圧は、処理、温度、電圧等の環境要因により影響されないマルチレベルポイントツーポイント伝送システムに関する。
【０００８】
本発明は、送信回路が出力電流又は信号レベルを生成するパターンが容易にコピーでき、当該パターンは、処理、温度、電圧等の環境要因により影響されない、マルチレベルポイントツーポイント伝送システムに適した伝送回路に関する。
【０００９】
本発明は、送信回路が出力電流又は信号レベルを生成する方法に従って受信回路が基準電圧を生成し、当該基準電圧は、処理、温度、電圧等の環境要因に影響されない、マルチレベルポイントツーポイント伝送システムに適した受信回路に関する。
【００１０】
また、本発明は、送信回路が出力電流又は信号レベルを生成する方法に従って受信回路がその各受信器において基準電圧を生成し、当該基準電圧は、処理、温度、電圧等の環境要因に影響されない、ポイントツーポイント信号伝送システムに関する。
【００１１】
本発明は、少なくとも一つの端子抵抗、送信回路、及び受信回路を含むマルチレベルポイントツーポイント伝送システムを提供する。送信回路は、第一外部抵抗と送信器を含む。送信器は、第一基準端子と少なくとも一つの出力端子を有し、第一基準端子は第一外部抵抗に接続され、出力端子は端子抵抗に接続される。送信器は、第一外部抵抗にしたがって第一基準電流を生成し、伝送データと第一基準電流にしたがって出力端子に流す電流を決定する。受信回路は、第二外部抵抗、第三外部抵抗、及び少なくとも一つの受信器を含む。受信器は、第二基準端子、第三基準端子、及び受信端子を有し、第二基準端子は第二外部抵抗に接続され、第三基準端子は第三外部抵抗に接続され、受信端子は送信器の出力端子に接続される。受信器は、第二外部抵抗にしたがって第二基準電流を生成し、第二基準電流と第三外部抵抗にしたがって基準電圧差を生成する。受信器は、伝送データを正確に受信するために基準電圧差にしたがって受信端子における電圧を判定する。
【００１２】
本発明の実施形態によると、送信器は、送信端電流生成器、及び複数のパルス強度変調器を含む。送信端電流生成器は第一基準端子に接続され、第一外部抵抗にしたがって第一基準電流を生成する。パルス強度変調器は送信端電流生成器と送信器の出力端子に接続される。パルス強度変調器は、送信器の出力端子に流す電流と第一基準電流との比を伝送データのビットコードにしたがって決定し、端子抵抗と協同して送信器の出力端子において複数の異なる電圧レベルを生成する。
【００１３】
本発明の実施形態によると、受信器は、受信端電流追跡回路、第二分圧回路、複数の強度コンパレータ、及び複数のサーマルコード復号器を含む。受信端電流追跡回路は第二基準端子と第三基準端子に接続される。受信端電流追跡回路は、第二外部抵抗にしたがって第二基準電流を生成し、第二基準電流と第三外部抵抗にしたがって基準電圧差を生成する。第二分圧回路は、基準電圧差と第二所定比にしたがって複数のサブ基準電圧差を生成する。強度コンパレータは、第二分圧回路と受信端子に接続され、受信端子における電圧とサブ基準電圧差のいくつかとを比較して複数のサーマルコードを得る。サーマルコード復号器は強度コンパレータに接続され、サーマルコードを伝送データへと復号する。
【００１４】
本発明は、マルチレベルポイントツーポイント伝送システムに適した送信回路を提供する。送信回路は少なくとも一つの端子抵抗に接続される。送信回路は第一外部抵抗と送信器を含む。送信器は第一基準端子と少なくとも一つの出力端子を有し、第一基準端子は第一外部抵抗に接続され、出力端子は端子抵抗に接続される。送信器は、送信端電流生成器と複数のパルス強度変調器を含む。送信端電流生成器は第一基準端子に接続され、第一外部抵抗にしたがって第一基準電流を生成する。パルス強度変調器は送信端電流生成器と送信器の出力端子に接続される。パルス強度変調器は送信器の出力端子に流す電流と第一基準電流との比を伝送データのビットコードにしたがって決定し、端子抵抗と協同して送信器の出力端子において複数の異なる電圧レベルを生成する。
【００１５】
本発明の実施形態によると、送信端電流生成器は第一分圧回路、演算増幅器、及びカレントミラーを含む。第一分圧回路は、入力電圧と第一所定比にしたがって第一基準電圧を生成する。演算増幅器は第一入力端子、第二入力端子、及び出力端子を備え、第一入力端子は第一分圧回路に接続され、第二入力端子は第一基準端子に接続される。カレントミラーは演算増幅器の出力端子と第一基準端子に接続され、第一基準電流をコピーして出力する。第一基準電流は、上記の接続関係を介して第一基準電圧と第一外部抵抗にしたがって生成することができる。
【００１６】
本発明は、マルチレベルポイントツーポイント伝送システムに適した受信回路を提供する。受信回路は、第二外部抵抗、第三外部抵抗、及び少なくとも一つの受信器を含む。受信器は、第二基準端子、第三基準端子、及び受信端子を備え、第二基準端子は第二外部抵抗に接続され、第三基準端子は第三外部抵抗に接続される。受信器は、受信端電流追跡回路、第二分圧回路、複数の強度コンパレータ、及び複数のサーマルコード復号器を含む。受信端電流追跡回路は第二基準端子と第三基準端子に接続される。受信端電流追跡回路は第二外部抵抗にしたがって第二基準電流を生成し、第二基準電流と第三外部抵抗にしたがって基準電圧差を生成する。第二分圧回路は、基準電圧差と第二所定比にしたがって複数のサブ基準電圧差を生成する。強度コンパレータは、第二分圧回路と受信器の受信端子に接続され、受信器の受信端子における電圧とサブ基準電圧差のいくつかとを比較して複数のサーマルコードを得る。サーマルコード復号器は強度コンパレータに接続され、サーマルコードを伝送データへと復号する。
【００１７】
本発明の実施形態によると、受信端電流追跡回路は、第三分圧回路、演算増幅器、及びスイッチ回路を含む。第三分圧回路は入力電圧と第三所定比にしたがって第二基準電圧を生成する。演算増幅器は第一入力端子、第二入力端子、及び出力端子を備え、第一入力端子は第三分圧回路に接続され、第二入力端子は第二基準端子に接続される。スイッチ回路は、イネーブル信号受信端子、電流入力端子、及び電流出力端子とを備え、電流入力端子は第二基準端子に接続され、電流出力端子は第三基準端子に接続され、イネーブル信号受信端子は入力イネーブル信号を受信して第二基準電流をスイッチ回路の電流出力端子に出力するかを制御する。第二基準電流は、上記の接続関係を介して第二基準電圧と第二外部抵抗にしたがって生成することができる。
【００１８】
本発明は、送信回路と受信回路を含み、受信回路が送信回路に接続されたポイントツーポイント信号伝送システムを提供する。送信回路は、伝送データにしたがって少なくとも一つの電流信号を出力する。受信回路は複数の受信部と少なくとも一つの基準部を含み、基準部は受信部に接続される。受信回路は送信回路から電流信号を受信し、電流信号を受信電圧信号へと変換する。基準部は、基準電圧差を生成して基準電圧差を受信部へと伝送し、受信部は基準電圧差にしたがって複数のサブ基準電圧差を生成し、受信電圧信号とサブ基準電圧差を比較してデジタルデータを得る。
【００１９】
本発明の実施形態によると、送信回路は第一外部抵抗、第一基準端子、送信端電流生成器、及びパルス強度変調器を含む。第一基準端子は第一外部抵抗に接続され、送信端電流生成器は第一基準端子に接続され、パルス強度変調器は送信端電流生成器に接続される。送信端電流生成器は、第一外部抵抗にしたがって第一基準電流を生成する。パルス強度変調器は、電流信号と第一基準電流との比を伝送データのビットコードにしたがって決定する。基準部は第二外部抵抗、第三外部抵抗、第二基準端子、第三基準端子、及び受信端電流追跡回路を含む。第二基準端子は第二外部抵抗に接続され、第三基準端子は第三外部抵抗に接続され、受信端電流追跡回路は第二基準端子と第三基準端子に接続される。受信端電流追跡回路は第二外部抵抗にしたがって第二基準電流を生成し、第二基準電流と第三外部抵抗にしたがって基準電圧差を生成する。
【００２０】
本発明は、マルチレベルポイントツーポイント伝送システム、及びその送信回路と受信回路を提供する。上記したように、受信回路は送信回路が出力電流又は信号レベルを生成する方法にしたがって、受信回路の各受信器において基準電圧を生成する。したがって、基準電圧は、処理、温度、電圧等の環境要因に影響されない。
【図面の簡単な説明】
【００２１】
添付の図面は、本発明の更なる理解を推進するために含められており、本明細書の一部に取り込み本明細書の一部を成す。図面は、本発明の実施形態を図示し、本発明の原理を本記載とともに説明する。
【００２２】
【図１Ａ】図１Ａは、液晶表示（ＬＣＤ）パネルにおける従来の伝送システムを示す図である。
【００２３】
【図１Ｂ】図１Ｂは、図１Ａにおける伝送システムの詳細回路図である。
【００２４】
【図２】図２は、本発明の実施形態に係るマルチレベルポイントツーポイント伝送システムを示す。
【００２５】
【図３】図３は、図２における送信器２１１の回路図である。
【００２６】
【図４】図４は、図３における送信端電流生成器３０の詳細回路図である。
【００２７】
【図５】図５は、受信器２２２の回路図である。
【００２８】
【図６】図６は、受信端電流追跡回路５０の詳細回路図である。
【００２９】
【図７】図７は、図３におけるパルス強度変調器３１が複数存在する共通モードフィードバック回路インフラを示す。
【発明を実施するための最良の形態】
【００３０】
これより、本発明の本好適実施形態を詳細に説明するが、添付の図面に好適実施形態の数例を示す。図面と本記載においては、可能である限り、同一もしくは同様の構成には同一の参照符号を用いる。
【００３１】
本発明は、送信回路が出力電流又は信号レベルを生成する方法に従って受信回路がその各受信器において基準電圧を生成することができ、当該基準電圧は、処理、温度、電圧等の環境要因に影響されない、マルチレベルポイントツーポイント伝送システムを提供する。さらに、マルチレベルポイントツーポイント伝送システムは、大型液晶表示（ＬＣＤ）パネルに適する。
【００３２】
図２は、本発明の実施形態に係るマルチレベルポイントツーポイント伝送システムを示す。図２を参照すると、マルチレベルポイントツーポイント伝送システムは、複数の端子抵抗ＲＴ、送信回路２１、及び受信回路２２を含む。送信回路２１は、第一外部抵抗ＲＳ１と送信器２１１を含む。送信器２１１は第一基準端子２１１ＲＥＦ１と複数の出力端子２１１ＯＵＴを含み、第一基準端子２１１ＲＥＦ１は第一外部抵抗ＲＳ１に接続され、出力端子２１１ＯＵＴは端子抵抗ＲＴに接続される。送信器２１１は、第一外部抵抗ＲＳ１にしたがって第一基準電流ＩＲＥＦ１を生成し、送信器２１１が送信する伝送データと第一基準電流ＩＲＥＦ１にしたがって全ての出力端子２１１ＯＵＴに流す電流を決定する。受信回路２２は、第二外部抵抗ＲＳ２、第三外部抵抗ＲＳ３、及び複数の受信器２２２を含む。各受信器２２２は、第二基準端子２２２ＲＥＦ２、第三基準端子２２２ＲＥＦ３、及び複数の受信端子ＩＰとＩＮを有し、第二基準端子２２２ＲＥＦ２は第二外部端子ＲＳ２に接続され、第三基準端子２２２ＲＥＦ３は第三外部抵抗ＲＳ３に接続され、受信端子ＩＰとＩＮは送信器２１１の出力端子２１１ＯＵＴに接続されている。受信器２２２は、第二外部抵抗ＲＳ２にしたがって第二基準電流ＩＲＥＦ２を生成し、第二基準電流ＩＲＥＦ２と第三外部抵抗ＲＳ３にしたがって基準電圧差ＶＣＣ−ＶＲＴＳを生成する。受信器２２２は、基準電圧差ＶＣＣ−ＶＲＴＳにしたがって受信端子ＩＰとＩＮにおける電圧を判定し、それにより送信器２１１からの伝送データを正確に受信する。
【００３３】
図３は、図２の送信器２１１の回路図である。図３を参照すると、送信器２１１は、送信端電流生成器３０と複数の四段階パルス強度変調器３１（図３には例として四段階パルス強度変調器３１を一つだけ示す）を含む。送信端電流生成器３０は第一基準端子２１１ＲＥＦ１に接続され、第一外部抵抗ＲＳ１にしたがって第一基準電流ＩＲＥＦ１を生成する。パルス強度変調器３１は送信端電流生成器３０と出力端子２１１ＯＵＴに接続される。四段階パルス強度変調器３１は、送信器２１１が送信する伝送データのビットコードにしたがって出力端子２１１ＯＵＴに流す電流と第一基準電流ＩＲＥＦ１との比を決定し、端子抵抗ＲＴと協同して出力端子２１１ＯＵＴにおいて複数の異なる電圧レベルを生成する。
【００３４】
図３において、トランジスタＰ０１のサイズがトランジスタＰ００のＫ倍であり、トランジスタＰ０２のサイズがトランジスタＰ０１の二倍であると仮定すると、電流Ｉ０＝Ｋ＊ＩＲＥＦ１であり、電流Ｉ０'＝２＊Ｉ０＝２Ｋ＊ＩＲＥＦ１である。したがって、四段階パルス強度変調器３１は、全ての出力端子２１１ＯＵＴに流す電流を第一基準電流ＩＲＥＦ１と送信器２１１が送信する伝送データＤ１とＤ２にしたがって決定する。これらの電流が端子抵抗ＲＴを通過するとき複数の異なる電圧レベルが生成される。
【００３５】
図４は、図３の送信端電流生成器３０の詳細回路図である。図４を参照すると、送信端電流生成器３０は、第一分圧回路４０、演算増幅器４１、及びカレントミラー４２を含む。演算増幅器４１は、第一入力端子４１Ｉ１、第二入力端子４１Ｉ２、及び出力端子４１Ｏを有しており、第一入力端子４１Ｉ１は第一分圧回路４０に接続され、第二入力端子４１Ｉ２は第一基準端子２１１ＲＥＦ１に接続される。カレントミラー４２は、演算増幅器４１の出力端子４１Ｏと第一基準端子２１１ＲＥＦ１に接続される。第一分圧回路４０は、入力電圧ＶＣＣと第一所定比Ｒ１１／（Ｒ１１＋Ｒ１２）にしたがって、第一基準電圧ＶＲＥＦ１＝（ＶＣＣ＊Ｒ１１）／（Ｒ１１＋Ｒ１２）を生成する。カレントミラー４２のトランジスタＰＢ０とＰＢ１、及びトランジスタＮＢ０とＮＢ１は同一のサイズ比を有しており、カレントミラー４２は第一基準電流ＩＲＥＦ１をコピーして出力することができる。第一基準電流ＩＲＥＦ１は、上述の接続関係を介して第一基準電圧ＶＲＥＦ１と第一外部抵抗ＲＳ１にしたがって生成することができる、つまり、第一基準電流ＩＲＥＦ１は、第一基準電圧ＶＲＥＦ１を第一基準抵抗ＲＳ１で割ることにより得られる（ＩＲＥＦ１＝ＶＲＥＦ１／ＲＳ１）。
【００３６】
図３と図４を再び参照すると、上記の仮定と接続関係においては、四段階パルス強度変調器３１が電流Ｉ０を四段階パルス強度変調器３１に接続された端子抵抗ＲＴに通過させると、端子抵抗ＲＴは電圧レベルを生成する。伝送データがＤ１＝１、Ｄ２＝０であるならば、図３に示すように、四段階パルス強度変調器３１のトランジスタＭ１ＢとＭ２Ｂに接続された端子抵抗ＲＴに電流Ｉ０が流され、電圧レベルＶａｍｐ＝Ｉ０＊ＲＴが端子抵抗ＲＴにおいて生成される。電流Ｉ０の二倍の電流が四段階パルス強度変調器３１のトランジスタＭ１とＭ２に接続された端子抵抗ＲＴに流され、それにより電圧レベルＶａｍｐの二倍の電圧レベルがこれらの端子抵抗ＲＴにおいて生成される。伝送データがＤ１＝１、Ｄ２＝１であるならば、電流Ｉ０の三倍の電流が四段階パルス強度変調器３１のトランジスタＭ１とＭ２に接続された端子抵抗ＲＴに流され、それにより電圧レベルＶａｍｐの三倍の電圧レベルがこれらの端子抵抗ＲＴにおいて生成される。伝送データがＤ１＝０、Ｄ２＝１であるならば、電流Ｉ０が四段階パルス強度変調器３１のトランジスタＭ１とＭ２に接続された端子抵抗ＲＴに流され、それにより電圧レベルＶａｍｐがこれらの端子抵抗ＲＴにおいて生成される。電流Ｉ０の二倍の電流が四段階パルス強度変調器３１のトランジスタＭ１とＭ２に接続された端子抵抗ＲＴに流され、それにより電圧レベルＶａｍｐの二倍の電圧レベルがこれらの端子抵抗ＲＴにおいて生成される。伝送データがＤ１＝０、Ｄ２＝０であるならば、Ｉ０の三倍の電流が四段階パルス強度変調器３１のトランジスタＭ１ＢとＭ２Ｂに接続された端子抵抗ＲＴに流され、それにより電圧レベルＶａｍｐの三倍の電圧レベルがこれらの端子抵抗ＲＴにおいて生成される。
【００３７】
上記のカレントミラー４２はその他の種のカレントミラーであってもよく、上記の四段階パルス強度変調器３１はその他の段階数の変調器、たとえば八段階パルス強度変調器であってもよい。上記の抵抗と仮定は本発明を説明するためだけに用いるのであり、本発明の範囲を制限するものでなく、それゆえその他の抵抗と仮定を本発明の要件に適合するのであれば用いてもよい。
【００３８】
上記したように、送信器２１１は、第一外部抵抗ＲＳ１にしたがって決定することができる第一基準電流ＩＲＥＦ１を流す。これにより、送信器２１１は出力端子２１１ＯＵＴに流す電流を第一基準電流ＩＲＥＦ１と送信器２１１が送信する送信データＤ１とＤ２にしたがって決定することができる。
【００３９】
図５は、受信器２２２の回路図である。図５を参照すると、受信器２２２は、受信端電流追跡回路５０、第二分圧回路５１、複数の四段階強度コンパレータ５２（図５には例として四段階強度コンパレータ５２を一つだけ示す）、複数のサーマルコード復号器５３（図５には例としてサーマルコード復号器５３を一つだけ示す）、及び電圧変換器５４を含む。受信端電流追跡回路５０は第二基準端子２２２ＲＥＦ２と第三基準端子２２２ＲＥＦ３に接続される。四段階強度コンパレータ５２は第二分圧回路５１と受信器２２２の受信端子ＩＰとＩＮとに接続されている。電圧変換器５４は出力端子５４Ｏと入力端子５４Ｉを有しており、入力端子５４Ｉは第三基準端子２２２ＲＥＦ３に接続され、出力端子５４Ｏは第二分圧回路５１に接続される。サーマルコード復号器５３は四段階強度コンパレータ５２に接続される。受信端電流追跡回路５０は、第二外部抵抗ＲＳ２にしたがって第二基準電流ＩＲＥＦ２を生成し、第二基準電流ＩＲＥＦ２と第三外部抵抗ＲＳ３にしたがって基準電圧差を生成する（基準電圧差はＶＣＣ−ＶＲＴＳに等しい。但し、ＶＲＴＳ＝ＶＣＣ−ＲＳ３＊ＩＲＥＦ２である）。第二分圧回路５１は基準電圧差と第二所定比にしたがって複数のサブ基準電圧差を生成するが、サブ基準電圧差の一つはＶＲＥＦ３である。電圧変換器５４は、第三基準端子２２２ＲＥＦ３における電圧ＶＲＴＳを出力端子５４Ｏへと変換する。四段階強度コンパレータ５２は受信端子ＩＰとＩＮにおける電圧をサブ基準電圧差ＶＲＥＦ３と比較し、サーマルコードを得る。サーマルコード復号器５３はサーマルコードを伝送データへと復号する。
【００４０】
上記したように、電圧変換器５４は、演算増幅器ＯＰ２と電界効果トランジスタ（ＦＥＴ）Ｎ１１を含む。演算増幅器ＯＰ２の第一入力端子は電圧変換器５４の入力端子５４Ｉとして機能し、演算増幅器ＯＰ２の第二入力端子は電圧変換器５４の出力端子５４Ｏとして機能する。ＦＥＴ  Ｎ１１のゲートと演算増幅器ＯＰ２の出力端子は互いに接続され、ＦＥＴ  Ｎ１１のドレインと電圧変換器５４の出力端子５４Ｏは互いに接続され、ＦＥＴ  Ｎ１１のソースは接地されている。上記のコンポーネントとそれらの接続関係により、電圧変換器５４は入力端子５４Ｉにおける電圧を出力端子５４Ｏへとコピーすることができる。しかし、上記の実施形態は本発明を制限するものでなく、電圧変換器５４は本発明の範囲と趣旨から逸脱することなく異なる方法にて具現化してもよい。
【００４１】
図６は、受信端電流追跡回路５０の詳細回路図である。図６を参照すると、受信端電流追跡回路５０は、第三分圧回路６０、演算増幅器６１、及びスイッチ回路６２を含む。第三分圧回路６０は、入力電圧ＶＣＣと第三所定比Ｒ２１／（Ｒ２１＋Ｒ２２）にしたがって第二基準電圧ＶＲＥＦ２（ＶＲＥＦ２＝（ＶＣＣ＊Ｒ２１）／（Ｒ２１＋Ｒ２２））を生成する。増幅演算器６１は、第一入力端子、第二入力端子、及び出力端子を有しており、第一入力端子は第三分圧回路６０に接続され、第二入力端子は第二基準端子２２２ＲＥＦ２に接続される。スイッチ回路６２は、イネーブル信号受信端子ＥＮ、電流入力端子６２Ｉ、及び電流出力端子６２Ｏを有しており、電流入力端子６２Ｉは第二基準端子２２２ＲＥＦ２に接続され、電流出力端子６２Ｏは第三基準端子２２２ＲＥＦ３に接続され、イネーブル信号受信端子ＥＮは入力イネーブル信号を受信して第二基準電流ＩＲＥＦ２を電流出力端子６２Ｏに出力するかを制御する。第二基準電流ＩＲＥＦ２は、第二基準電圧ＶＲＥＦ２と第二外部抵抗ＲＳ２にしたがって、上記の接続関係を介して生成することができる（ＩＲＥＦ２＝ＶＲＥＦ２／ＲＳ２）。
【００４２】
スイッチ回路６２は、インバータＩＮＶ、及び二つのＦＥＴ  Ｎ１２とＮｃｌｐ２を含む。インバータＩＮＶの入力端子はイネーブル信号受信端子ＥＮに接続される。インバータＩＮＶは反転したイネーブル信号を出力する。ＦＥＴ  Ｎ１２のドレインとＦＥＴ  Ｎｃｌｐ２のゲートは互いに接続され、ＦＥＴ  Ｎ１２のゲートとインバータＩＮＶの出力端子は互いに接続され、ＦＥＴ  Ｎ１２のソースは接地される。ＦＥＴ  Ｎｃｌｐ２のゲートと演算増幅器６１の出力端子は互いに接続され、ＦＥＴ  Ｎｃｌｐ２のドレインはスイッチ回路６２の電流出力端子６２Ｏとして機能し、ＦＥＴ  Ｎｃｌｐ２のソースはスイッチ回路６２の電流入力端子６２Ｉとして機能する。上記のコンポーネントとそれらの接続関係により、上記のスイッチ回路６２の機能が達成できる。しかし、スイッチ回路６２は、本発明の範囲と趣旨から逸脱することなく異なる方法にて実施してもよい。
【００４３】
図５を参照すると、四段階強度コンパレータ５２が受信した差動電圧が第二分圧回路５１が供給するサブ基準電圧差ＶＲＥＦ３よりも高いとき、四段階強度コンパレータ５２は、サーマルコードのグループ｛Ｈｉ、Ｍｉｄ、Ｌｏ｝＝｛１、１、１｝を出力する。四段階強度コンパレータ５２が受信した差動電圧が第二分圧回路５１が供給するサブ基準電圧差ＶＲＥＦ３の負の値よりも低いとき、四段階強度コンパレータ５２はサーマルコードのグループ｛Ｈｉ、Ｍｉｄ、Ｌｏ｝＝｛０、０、０｝を出力する。四段階強度コンパレータ５２が受信した差動電圧が第二分圧回路５１が供給するサブ基準電圧差ＶＲＥＦ３よりも低く、電圧レベル０よりも高いとき、四段階強度コンパレータ５２はサーマルコードのグループ｛Ｈｉ、Ｍｉｄ、Ｌｏ｝＝｛０、１、１｝を出力する。四段階強度コンパレータ５２が受信した差動電圧が第二分圧回路５１が供給するサブ基準電圧差ＶＲＥＦ３の負の値よりも高く、電圧レベル０よりも低いとき、四段階強度コンパレータ５２はサーマルコードのグループ｛Ｈｉ、Ｍｉｄ、Ｌｏ｝＝｛０、０、１｝を出力する。本実施形態においては、サーマルコード復号器５３はサーマルコードを伝送データへと復号する。サーマルコードが｛１、１、１｝であるとき、伝送データは｛Ｄ１、Ｄ２｝＝｛１、１｝として取得される。サーマルコードが｛０、１、１｝であるとき、取得された伝送内容は｛Ｄ１、Ｄ２｝＝｛１、０｝として取得される。サーマルコードが｛０、０、１｝であるとき、伝送データは｛Ｄ１、Ｄ２｝＝｛０、１｝として取得される。サーマルコードが｛０、０、０｝であるとき、伝送データは｛Ｄ１、Ｄ２｝＝｛０、０｝として取得される。
【００４４】
図３、４、５及び６を参照すると、図５の受信回路２２に電圧レベルＶａｍｐの二倍であるサブ基準電圧差ＶＲＥＦ３を生成させるには、第二分圧回路５１の内部抵抗間の比を製造過程においてＲ３＝Ｒ３１＝Ｒ３２＝Ｒ３３＝・・・＝Ｒ３Ｍに調整すればよい。したがって、第二分圧回路５１が生成するサブ基準電圧差ＶＲＥＦ３は、ＶＲＥＦ３＝（ＶＣＣ−ＶＲＴＳ）／Ｍである。上記したように、ＶＣＣ−ＶＲＴＳ＝（ＶＲＥＦ２／ＲＳ２）＊ＲＳ３であり、サブ基準電圧差ＶＲＥＦ３が電圧レベルＶａｍｐの丁度二倍であるためには、ＶＲＥＦ３＝（ＶＲＥＦ２／ＲＳ２）＊ＲＳ３／Ｍ＝２＊Ｋ＊ＲＴ＊ＶＲＥＦ１／ＲＳ１）である。第一分圧回路４０の内部抵抗Ｒ１１とＲ１２との比と第三分圧回路６０の内部抵抗Ｒ２１とＲ２２との比は、第一基準電圧ＶＲＥＦ１が第二基準電圧ＶＲＥＦ２と等しくなる（ＶＲＥＦ１＝ＶＲＥＦ２）ように調整される。第一外部抵抗ＲＳ１と第二外部抵抗ＲＳ２の抵抗値も等しいものとされる（ＲＳ１＝ＲＳ２）。上記の数式に基づくと、第三外部抵抗ＲＳ３の抵抗値が２＊Ｋ＊Ｍ＊ＲＴである（ＲＳ３＝２＊Ｋ＊Ｍ＊ＲＴ）限り、サブ基準電圧差ＶＲＥＦ３は電圧レベルＶａｍｐの二倍である。Ｋ＝２０、Ｍ＝５、及びＲＴ＝５０である場合を例に挙げると、第三外部抵抗ＲＳ３の抵抗値は２＊２０＊５＊５０＝１００００Ωである。したがって、受信回路２２は送信器２１１から正確に伝送データを受信するために基準電圧差ＶＣＣ−ＶＲＴＳにしたがって受信端子における電圧を判定することができる。
【００４５】
上記の抵抗と仮定は、本発明を説明するためにだけ用いるのであり、本発明の範囲を制限するものでなく、その他のいかなる抵抗と仮定も、本発明の要件に適合するならば用いてよい。
【００４６】
上記の四段階強度コンパレータ５２とサーマルコード復号器５３は、四段階パルス強度変調器３１に対応するように具現化される。四段階パルス強度変調器３１がその他の段階数のパルス強度変調器（たとえば、八段階パルス強度変調器）であるならば、強度コンパレータとサーマルコード復号器はそれに対応して具現化するべきである。つまり、上記の実施例は本発明を制限することを意図しておらず、その他のいかなる実施例も、本発明の要件に適合するのであれば用いてよい。
【００４７】
図７は、図３の四段階パルス強度変調器３１の別の実施例を示す。図３に示す四段階パルス強度変調器３１は単一入力回路インフラを有するが、図７のパルス強度変調器３１は共通モードフィードバック回路インフラを有する。端子抵抗ＲＴをこれらのパルス強度変調器３１の正側と負側の共通モード出力端子に直列に接続することにより、ノイズの影響を低減することができる。図３と図７に示すパルス強度変調器３１は同じ機能を有しており、これら二つの相違は図３のパルス強度変調器３１は単一の入出力を有するのにたいして、図７のパルス強度変調器３１は共通モードの入出力を有することだけである。単一入力においてはＤ１とＤ２だけが存在するが、共通モード電圧入力においてはＤ１＋、Ｄ１−、Ｄ２＋、及びＤ２−が存在し、Ｄ１＋はＤ１であり、Ｄ１−はＤ１の負の値であり、Ｄ２＋はＤ２であり、Ｄ２−はＤ２の負の値である。
【００４８】
まとめると、本発明により、マルチレベルポイントツーポイント伝送システムが提供される。伝送システムの受信回路は、伝送システムの送信回路が出力電流又は信号レベルを生成する方法にしたがって基準電圧を生成し、当該基準電圧は、処理、温度、電圧等の環境要因に影響されない。
【００４９】
さらに、本発明により、上記のマルチレベルポイントツーポイント伝送システムに適した送信回路が提供される。送信回路が出力電流又は信号レベルを生成するパターンは容易にコピーされ、処理、温度、電圧等の環境要因に影響されない。
【００５０】
さらに、本発明により、上記のマルチレベルポイントツーポイント伝送システムに適した受信回路が提供される。受信回路は、送信回路が出力電流又は信号レベルを生成する方法にしたがって基準電圧を生成し、当該基準電圧は、処理、温度、電圧等の環境要因に影響されない。
【００５１】
当業者には、本発明の範囲もしくは趣旨から逸脱することなく本発明の構成に多様な修正と変更を行うことができることが明らかである。上記を考慮すると、本発明の修正と変更は、それらが以下の請求項とその均等物の範囲内にあるのであれば、本発明に含まれることが意図される。
【図１Ａ】
0004591930.tif 000002
【図１Ｂ】
0004591930.tif 000003
【図２】
0004591930.tif 000004
【図３】
0004591930.tif 000005
【図４】
0004591930.tif 000006
【図５】
0004591930.tif 000007
【図６】
0004591930.tif 000008
【図７】
0004591930.tif 000009